(57)【要約】  輸送可能な衛生ユニットは、フレームを有し、フレームは、上部分と、下部分を有し、上部分は、上カバーと、上カバーから下方に延びる上側柱部分を有し、前記下部分は、底部と、底部から上方に延びる下側柱部分を有する。上部分及び下部分は、作動高さを有する作動位置と、作動高さよりも低い輸送高さを有する輸送位置との間を、互いに対して移動可能である。上側柱部分及び下側柱部分は、一方が他方の中に又は互いに沿って、作動位置と輸送位置の間の摺動経路にわたって摺動可能であり、作動位置において、固定手段を用いて作動位置に互いに固着可能である。上カバー及び底部は、それらに構造高さを付与して上下方向スペースを定める構造部材を有する。輸送位置において、下側柱部分は、上カバーの上下方向スペースの中に延び、及び／又は、上側柱部分は、底部の上下方向スペースの中に延びる。
2021507157.tif 000002
【特許請求の範囲】
【請求項１】
輸送可能な衛生ユニットであって、
フレームと、
フレームによって支持された多数の衛生設備と、を有し、
フレームは、上部分と、下部分を有し、上部分は、上カバーと、上カバーから下方に延びる上側柱部分を有し、前記下部分は、底部と、底部から上方に延びる下側柱部分を有し、
上部分及び下部分は、上方に伸長し且つ作動高さを有する作動位置と、下方に引込み且つ作動高さよりも低い輸送高さを有する輸送位置との間を、互いに対して移動可能であり、
上側柱部分及び下側柱部分は、一方が他方の中に又は互いに沿って、作動位置と輸送位置の間の摺動経路にわたって摺動可能であり、作動位置において、固定手段を用いて作動位置に互いに固着可能である衛生ユニットにおいて、
上カバー及び底部は、それらに構造高さを付与して上下方向スペースを定める桁及び支持部等の構造部材を有し、
輸送位置において、下側柱部分は、上カバーの上下方向スペースの中に延び、及び／又は、上側柱部分は、底部の上下方向スペースの中に延びる、衛生ユニット。
【請求項２】
下側柱部分の長さは、上側柱部分の長さと等しい、請求項１に記載の衛生ユニット。
【請求項３】
輸送位置において、下側柱部分は、上カバーの高さの半分を越えて延び、好ましくは、上カバーの上平面の近くまで延び、及び／又は、上側柱部分は、下カバーの高さの半分を越えて延び、好ましくは、底部の下平面の近くまで延びる、請求項１又は２に記載の衛生ユニット。
【請求項４】
上側柱部分及び下側柱部分は、一方が他方の中に、作動位置と輸送位置の間を摺動可能であり、好ましくは、上側柱部分は、下側柱部分の中に摺動可能である、請求項１〜３の何れか１項に記載の衛生ユニット。
【請求項５】
上側柱部分は、上カバーの上平面から短い距離のところから下方に延びる、請求項４に記載の衛生ユニット。
【請求項６】
下側柱部分は、底部の下平面から上方に延びる、請求項４又は５に記載の衛生ユニット。
【請求項７】
フレームは、箱形状を有し、上側柱部分及び下側柱部分は、フレームのコーナーの近くに位置する、請求項１〜６の何れか１項に記載の衛生ユニット。
【請求項８】
２つ以上の同一の衛生ユニットを積重ねるために、上平面及び下平面に且つコーナーの近くに設けられたカム及びカムに適合する収容孔等の配置手段を有し、前記配置手段は、それぞれの支持プレートの上に配置され、上側柱部分及び下側柱部分は、それぞれの支持プレートに取付けられる、請求項７に記載の衛生ユニット。
【請求項９】
上側柱部分及び下側柱部分は、配置手段に対してオフセットされて配置される、請求項８に記載の衛生ユニット。
【請求項１０】
上側柱部分及び下側柱部分は、管状であり、それぞれの支持プレートの中に延びる、請求項８又は９に記載の衛生ユニット。
【請求項１１】
フレームは、箱形状を有し、上側柱部分及び下側柱部分は、フレームのコーナーの近くに位置し、
衛生ユニットは、アクセス側の面と、アクセス側の面のドア用の保持手段を有し、
アクセス側の面のコーナーの近くに位置する下側柱部分は、アクセス側の面に位置する底部の前縁に対してアクセス側の面から離れる方向にオフセットされる、請求項１〜１０の何れか１項に記載の又は請求項１の前段部に記載の衛生ユニット。
【請求項１２】
衛生ユニットは、互いに隣り合った多数の衛生サブスペースを有し、
衛生ユニットは、アクセス側の面と、アクセス側の面のドア用の保持手段を有し、
衛生サブスペースは、水平方向において、アクセス側の面から離れる方向に、及び／又は、一方の側方の面に向かって、及び／又は、両方の側方の面に向かって、仕切り壁によって境界が定められ、
仕切り壁は、上部分に取付けられた上仕切り壁部分と、下部分に取付けられた下仕切り壁部分とに分割され、
輸送位置から作動位置への及び作動位置から輸送位置への変換中、上仕切り壁部分は、衛生サブスペースの内側から見ると、下仕切り壁部分の内面に沿って上下方向に摺動可能である、請求項１〜１１の何れか１項に記載の又は請求項１の前段部に記載の衛生ユニット。
【請求項１３】
上仕切り壁部分は、複数の仕切り壁部に上下方向に分割され、
輸送位置から作動位置への及び作動位置から輸送位置への変換中、上側の仕切り壁部は、衛生サブスペースの内部から見ると、上仕切り壁部分のうちの上側の仕切り壁部よりも下に位置する仕切り壁部の内面に沿って上下方向に摺動可能である、請求項１２に記載の衛生ユニット。
【請求項１４】
衛生サブスペース内の衛生設備は、下部分に取付けられ、特に、下仕切り壁部分に取付けられる、請求項１２又は１３に記載の衛生ユニット。
【請求項１５】
上仕切り壁部分は、衛生設備の取付け箇所まで、下仕切り壁部分に沿って下方に摺動可能である、請求項１３又は１４に記載の衛生ユニット。
【請求項１６】
仕切り壁は、横Ｕ字形状を有し、横Ｕ字形状の開口はアクセス側の面に位置する、請求項１２〜１５の何れか１項に記載の衛生ユニット。
【請求項１７】
輸送可能な衛生ユニットであって、
フレームと、フレームに支持された多数の衛生設備と、を有し、
好ましくは、請求項１〜１６の何れか１項に記載の又は請求項１の前段部に記載の衛生ユニットであり、
更に、互いに隣り合って位置する多数の衛生サブスペースと、アクセス側の面と、前記アクセス側の面のドア用の保持手段を有し、
前記衛生サブスペースは、水平方向において、アクセス側の面から離れる方向に、及び／又は、一方の側方の面に向かって、及び／又は、両方の側方の面に向かって、仕切り壁によって境界が定められ、
仕切り壁は、少なくとも１つの衛生付属品のための取付け箇所を有し、目的の衛生付属品に到達するための通路が、前記仕切り壁の取付け箇所のところに構成される、輸送可能な衛生ユニット。
【請求項１８】
前記仕切り壁は、前記衛生サブスペースの後壁を形成し、前記通路が、前記後壁に配置され、好ましくは、請求項１２〜１６の何れか１項に従属するときには、下仕切り壁部分内に配置される、請求項１７に記載の衛生ユニット。
【請求項１９】
前記衛生付属品は、トイレットロールホルダであり、好ましくは、前記後壁の後側に取付けられ、メンテナンスのために後方から到達可能であり、使用のために前記通路を介して内側から到達可能である、請求項１７又は１８に記載の衛生ユニット。
【請求項２０】
前記衛生付属品は、ゴミ箱であり、前記ゴミ箱は、好ましくは、前記後壁の内側に取付けられ、メンテナンスのために後方から前記通路を介して到達可能である、請求項１７又は１８に記載の衛生ユニット。
【請求項２１】
３つの前記衛生サブスペースを有し、前記３つの衛生サブスペースは、便器を備え、互いに隣に位置し、同じアクセス側の面からアクセス可能である、請求項１〜２０の何れか１項に記載の衛生ユニット。
【請求項２２】
輸送位置において、標準の４０フィートハイキューブコンテナの内部高さの半分よりも低い高さを有する、請求項１〜２１の何れか１項に記載の衛生ユニット。
【請求項２３】
輸送位置におけるアクセス側の面において、標準の４０フィートハイキューブコンテナの内部長さの５分の１よりも短い幅を有する、請求項２２に記載の衛生ユニット。
【請求項２４】
輸送位置における横断方向側面において、標準の４０フィートハイキューブコンテナの内部幅の２分の１よりも短い奥行を有する、請求項２２又は２３に記載の衛生ユニット。
【請求項２５】
輸送容器であって、
請求項１〜２４の何れか１項による多数の衛生ユニットを含む、輸送容器。
【請求項２６】
４０フィートハイキューブコンテナとして構成され、
輸送位置にある請求項２２〜２４の何れか１項に記載の２×１０個の衛生ユニットを含む、請求項２５に記載の衛生ユニット。
【請求項２７】
添付の発明の詳細な説明に記載し及び／又は添付の図面に示した１又は２以上の特徴的な手段を含む、装置。
【請求項２８】
添付の発明の詳細な説明に記載し及び／又は添付の図面に示した１又は２以上の特徴的なステップを含む、方法。
【発明の詳細な説明】
【技術分野】
【０００１】
本発明は、輸送可能な衛生ユニットに関する。かかる衛生ユニットは、ある場所に滞在している個人のための衛生設備をその場所に一時的に提供するのに使用される。衛生ユニットは、スポーツコンテンツ、ミュージックフェスティバル、及びその他のイベントの場合等の大観衆に関わる。衛生ユニットはまた、災害領域、軍事行動及び訓練、産業設備の施設におけるケアの提供に関わる。衛生機器は、一般的には、便器等の衛生設備を含む。衛生機器はまた、小便器、洗面台及び／又はシャワー等の衛生設備を含む。
【背景技術】
【０００２】
衛生ユニットは、非常に大きい容量の衛生配置に関わり、大きいイベントでは、全体的な配置は、多数の衛生ユニットを含む。この場合、輸送量は、非常に大きくなり、輸送コスト及び物流コストに影響を与える。
【先行技術文献】
【特許文献】
【０００３】
【特許文献１】米国特許第９０６０６５２号明細書
【特許文献２】米国特許第９３６６０１９号明細書
【特許文献３】米国特許第９６０５４２４号明細書
【発明の概要】
【発明が解決しようとする課題】
【０００４】
作動位置よりも小さい輸送位置に配置することができる、例えば、特許文献１〜３で知られている衛生ユニットを使用すれば、輸送の負担を軽減することができる。これらの衛生ユニットの著しい改良を達成することができるけれども、輸送に関わるコスト及び負担の更なる軽減の要望が係属している。
【課題を解決するための手段】
【０００５】
１つの側面によれば、本発明は、輸送可能な衛生ユニットを提供し、衛生ユニットは、フレームと、フレームによって支持された多数の衛生設備と、を有し、フレームは、上部分と、下部分を有し、上部分は、上カバーと、上カバーから下方に延びる上側柱部分を有し、下部分は、底部と、底部から上方に延びる下側柱部分を有し、上部分及び下部分は、上方に伸長し且つ作動高さを有する作動位置と、下方に引込み且つ作動高さよりも低い輸送高さを有する輸送位置との間を、互いに対して移動可能であり、上側柱部分及び下側柱部分は、一方が他方の中に又は互いに沿って、作動位置と輸送位置の間の摺動経路にわたって摺動可能であり、作動位置において、固定手段を用いて作動位置に互いに固着可能であり、上カバー及び底部は、それらに構造高さを付与して上下方向スペースを定める桁／支持部等の構造部材を有し、輸送位置において、下側柱部分は、上カバーの上下方向スペースの中に延び、及び／又は、上側柱部分は、底部の上下方向スペースの中に延びる。
【０００６】
このとき、比較的長い摺動経路を実現することが可能であり、輸送位置において低い高さを有し且つ作動位置において十分な高さを維持する衛生ユニットを提供することを可能にし、作動位置において、上側柱部分及び下側柱部分は、安定性の観点から、重なり長さ全体にわたって依然として互いに重なっている。既知の引込み可能な／伸長可能な衛生ユニットでは、摺動経路は、上カバーよりも下に且つ底部よりも上に位置したままである。低い高さは、例えば、標準の輸送コンテナを、フレームが同じ他の衛生ユニットと一緒に効率的に輸送するのに適した衛生ユニットを作ることができる。
【０００７】
上カバー及び底部は各々、上平面と、下平面を有する。輸送位置において、下側柱部分の上端は、上カバーの下平面よりも上に位置し、及び／又は、上側柱部分の下端は、底部の上平面よりも下に位置する。
【０００８】
好ましくは、下側柱部分の長さは、上側柱部分の長さと等しく、それにより、輸送位置における衛生ユニットの高さを低く保つことができる。
【０００９】
１つの実施形態では、輸送位置において、下側柱部分は、上カバーの高さの半分を越えて（半分よりも上に）延び、更なる実施形態では、上カバーの上平面の近くまで延び、特に、上カバーの構造部材の上側の面まで延びる。１つの実施形態では、上側柱部分は、下カバー（底部）の高さの半分を越えて（半分よりも下に）延び、更なる実施形態では、底部の下平面の近くまで延び、特に、底部の構造部材の下側の面まで下方に延びる。
【００１０】
１つの実施形態では、上側柱部分及び下側柱部分は、作動位置と輸送位置の間を、一方が他方の中に摺動可能であり、好ましくは、上側柱部分は、下側柱部分の中に摺動可能である。
【００１１】
上側柱部分は、上カバーの上平面から（カバープレートによる）短い距離のところの構造部材の上側の面から下方に延びる。下側柱部分は、（開放した）底部の下平面から上方に延びる。
【００１２】
１つの実施形態では、フレームは、真直ぐな平行六面体形状、即ち、箱形状を有し、上側柱部分及び下側柱部分は、フレームのコーナーの近くに位置する。本発明による衛生ユニットは、２つ以上の同一の衛生ユニットを積重ねるために、上平面及び下平面に且つコーナーの近くに設けられたカム及びカムに適合する収容孔等の配置手段を有し、配置手段は、それぞれの支持プレートの上に配置され、上側柱部分及び下側柱部分は、それぞれの支持プレートに取付けられる。
【００１３】
上側柱部分及び下側柱部分は、配置手段に対してオフセットされて配置されるのがよく、その結果、上側柱部分及び下側柱部分は、上カバー及び底部内において、できるだけ長い長さわたって延びることができる。
【００１４】
上側柱部分及び下側柱部分は、管状であるのがよい。上側柱部分及び下側柱部分のうちの一方は、他方が一方の中に入ったりそれから出たりするように摺動する矩形断面、好ましくは、正方形断面を有するのがよく、一方の中に入ったりそれから出たりするように摺動する他方は、丸みを有する断面、好ましくは、円形断面を有するのがよい。
【００１５】
下側柱部分は、上下方向に貫通する開口を有するのがよく、このことは、完全に開放していることを意味し、その結果、下側柱部分に到達した水が流れ去ることができ、下側柱部分に堆積する水を防止することができる。選択的には、上側柱部分も、完全に開放していてもよい。
【００１６】
上述した実施形態と組合せてもよい更なる側面によれば、本発明は、輸送可能な衛生ユニットを提供し、衛生ユニットは、フレームと、フレームによって支持された多数の衛生設備と、を有し、フレームは、上部分と、下部分を有し、上部分は、上カバーと、上カバーから下方に延びる上側柱部分を有し、下部分は、底部と、底部から上方に延びる下側柱部分を有し、上部分及び下部分は、上方に伸長し且つ作動高さを有する作動位置と、下方に引込み且つ作動高さよりも低い輸送高さを有する輸送位置との間を、互いに対して移動可能であり、上側柱部分及び下側柱部分は、一方が他方の中に又は互いに沿って、作動位置と輸送位置の間の摺動経路にわたって摺動可能であり、作動位置において、固定手段を用いて作動位置に互いに固着可能であり、フレームは、真直ぐな平行六面体形状、即ち、箱形状を有し、上側柱部分及び下側柱部分は、フレームのコーナーの近くに位置し、衛生ユニットは、アクセス側の面と、アクセス側の面のドア用の保持手段を有し、アクセス側の面のコーナーの近くに位置する下側柱部分は、アクセス側の面に位置する底部の前縁に対してアクセス側の面から離れる方向にオフセットされる。この場合、ドア用の保持手段、例えば、上カバー及び底部に取付けられるヒンジピンを、上側柱部分及び下側柱部分よりも前方のコーナーのところに配置することが可能であり、その結果、アクセス側の面と平行な方向における水平方向のスペースを節約して、互いに隣り合って位置する多数の個々のトイレスペースに必要とされる水平方向スペースを、限られた範囲内に確保することができる。
【００１７】
前述した実施形態／側面と組合せてもよい更なる側面によれば、本発明は、輸送可能な衛生ユニットを提供し、衛生ユニットは、フレームと、フレームに支持された多数の衛生設備と、を有し、フレームは、上部分と、下部分を有し、上部分は、上カバーと、上カバーから下方に延びる上側柱部分を有し、下部分は、底部と、底部から上方に延びる下側柱部分を有し、上部分及び下部分は、上方に伸長し且つ作動高さを有する作動位置と、下方に引込み且つ作動高さよりも低い輸送高さを有する輸送位置との間を、互いに対して移動可能であり、上側柱部分及び下側柱部分は、一方が他方の中に又は互いに沿って、作動位置と輸送位置の間の摺動経路にわたって摺動可能であり、作動位置において、固定手段を用いて作動位置に互いに固着可能であり、更に、衛生ユニットは、互いに隣り合って位置する多数の衛生サブスペースを有し、衛生ユニットは、アクセス側の面と、アクセス側の面のドア用の保持手段を有し、衛生サブスペースは、水平方向において、アクセス側の面から離れる方向（後方）に、及び／又は、一方の側方の面に向かって、及び／又は、両方の側方の面に向かって、仕切り壁によって境界が定められ、仕切り壁は、上部分に取付けられた上仕切り壁部分と、下部分に取付けられた下仕切り壁部分とに分割され、輸送位置から作動位置への及び作動位置から輸送位置への変換中、上仕切り壁部分は、衛生サブスペースの内部から見ると、下仕切り壁部分の内面に沿って上下方向に摺動可能である。このようにすれば、上仕切り壁部分の仕切り壁の外部に、空の空間を必要とせず、導管等に利用可能なより多くの空間を残す。更に、衛生サブスペースをシャワーとして使用したり、清掃のために洗い流したりするとき、シャワー水／洗浄水は、仕切り壁の内面に沿って流れ、他の側や外側に存在する設備／継手に悪影響を及ぼすように他の側や外側には流れない。
【００１８】
好ましくは、上仕切り壁部分は、複数の仕切り壁部に上下方向に分割され、輸送位置から作動位置への及び作動位置から輸送位置への変換中、上側の仕切り壁部は、衛生サブスペースの内部から見ると、上仕切り壁部分のうちの上側の仕切り壁部よりも下に位置する仕切り壁部の内面に沿って上下方向に摺動可能である。このとき、上仕切り壁部分が摺動しなければならない長さは、制限範囲内に保たれるのがよい。このことは、衛生サブスペース内の衛生設備が下部分に、特に、下仕切り壁部分に取付けられるときに有利である。このとき、最も低い上仕切り壁部分の下縁は、衛生設備の取付け箇所よりも上のままである。また、便器の排水は、底部よりも上のままである。
【００１９】
衛生サブスペースのための仕切り壁は、横Ｕ字形状を有し、２つの側壁と１つの後壁を有し、横Ｕ字形状の開口はアクセス側の面に位置するのがよい。変形例として、衛生サブスペースのための仕切り壁は、横Ｌ字形状を有し、１つの側壁と１つの後壁を有していてもよい。
【００２０】
前述した実施形態／側面と組合せてもよい更なる側面によれば、本発明は、輸送可能な衛生ユニットを提供し、衛生ユニットは、フレームと、フレームに支持された多数の衛生設備と、を有し、フレームは、上部分と、下部分を有し、上部分は、上カバーと、上カバーから下方に延びる上側柱部分を有し、下部分は、底部と、底部から上方に延びる下側柱部分を有し、上部分及び下部分は、上方に伸長し且つ作動高さを有する作動位置と、下方に引込み且つ作動高さよりも低い輸送高さを有する輸送位置との間を、互いに対して移動可能であり、上側柱部分及び下側柱部分は、一方が他方の中に又は互いに沿って、作動位置と輸送位置の間の摺動経路にわたって摺動可能であり、作動位置において、固定手段を用いて作動位置に互いに固着可能であり、更に、衛生ユニットは、互いに隣り合って位置する多数の衛生サブスペースを有し、衛生ユニットは、アクセス側の面と、アクセス側の面のドア用の保持手段を有し、衛生サブスペースは、水平方向において、アクセス側の面から離れる方向に、及び／又は、一方の側方の面に向かって、及び／又は、両方の側方の面に向かって、仕切り壁によって境界が定められ、仕切り壁は、上部分に取付けられた上仕切り壁部分と、下部分に取付けられた下仕切り壁部分とに分割され、仕切り壁は、少なくとも１つの衛生付属品のための取付け箇所を有し、目的の衛生付属品のメンテナンスのための通路が、仕切り壁の取付け箇所のところに構成される。衛生付属品は、例えば、トイレットロールホルダ、石鹸小出し器、ゴミ箱等であり、スタッフは、目的の衛生サブスペースの外部から衛生付属品に到達することが可能である。メンテナンスは、比較的容易に行われる。仕切り壁が衛生サブスペースの後壁を形成する場合は特に、メンテナンス通路が、後壁に配置され、下仕切り壁部分が存在すれば好ましくは、下仕切り壁部分内に配置される。
【００２１】
衛生付属品は、内面に沿って摺動する壁の障害物にならないように、後方に位置決めされるのがよい。
【００２２】
本発明による衛生ユニットは、３つの衛生サブスペースを、コンパクトでありながらユーザフレンドリーな仕方で有し、３つの衛生サブスペースは、便器を備え、互いに隣に位置し、同じアクセス側の面からアクセス可能である。
【００２３】
本発明による衛生ユニットは、輸送位置において、標準の４０フィートハイキューブコンテナの内部高さの半分よりも低い高さを有するのがよい。
【００２４】
本発明による衛生ユニットは、輸送位置におけるアクセス側の面において、標準の４０フィートハイキューブコンテナの内部長さの５分の１よりも短い幅を有するのがよい。
【００２５】
本発明による衛生ユニットは、輸送位置における横断方向側面において、標準の４０フィートハイキューブコンテナの内部幅の２分の１よりも短い奥行を有するのがよい。
【００２６】
標準の輸送コンテナに対応するフレームを有する本発明による比較的多数の衛生ユニットを輸送することが可能である。特に、４０フィートハイキューブコンテナをかかる目的のために使用してもよい。
【００２７】
本発明による衛生ユニットは、少しの解放部品しか必要とせず、且つ、本発明による衛生ユニットを迅速に立ち上げることができる。
【００２８】
本願の明細書及び特許請求の範囲に記載され及び／又は本願の図面に記載された側面及び程度は、個人的に使用される可能性がある。かかる個人的な側面は、それに関する分割特許出願の問題であるかもしれない。このことは、従属請求項に記載されている側面及び程度に特に適用する。
【００２９】
本発明を、添付の図面に示す例示の実施形態に基づいて説明する。
【図面の簡単な説明】
【００３０】
【図１Ａ】本発明による衛生ユニットの伸長した作動位置における図である。
【図１Ｂ】本発明による衛生ユニットの伸長した作動位置における図である。
【図１Ｃ】本発明による衛生ユニットの伸長した作動位置における図である。
【図１Ｄ】本発明による衛生ユニットの伸長した作動位置における図である。
【図１Ｅ】本発明による衛生ユニットの伸長した作動位置における図である。
【図２Ａ】本発明による衛生ユニットの引込んだ輸送位置における図である。
【図２Ｂ】本発明による衛生ユニットの引込んだ輸送位置における図である。
【図３】輸送位置にある本発明による多数の衛生ユニットを有する輸送コンテナの概略図である。
【発明を実施するための形態】
【００３１】
図１Ａ〜図１Ｅ及び図２Ａ〜図２Ｂに示す衛生ユニット１は、真直ぐな平行六面体形状（即ち、箱形状）であり且つ上下方向に伸縮可能なフレーム２を有し、フレーム２は、例えば、上フレーム部分２ａと下フレーム部分２ｂに分割されるスチール製構造部材を有する。
【００３２】
上フレーム部分２ａは、上カバー３ａを有し、上カバー３ａは、強度と剛性を提供するために管状の桁／支持部の形態をなす多数の構造部材を有し（図２Ｂ参照）、上プレート２０（図２Ｂでは省略）によって上方から覆われ、上プレート２０の上側の面は、上平面３ａａを構成する。構造部材は、その上側の面と下側の面の間の上下方向スペースを定める。コーナーの近くにおいて、円形断面を有する中空の上側柱部分４ａが、コーナーのところに位置する支持プレート５ａから下方に延び、上側柱部分４ａの上縁４ａａが、支持プレート５ａに取付けられる。支持プレート５ａは、積重ね用カム６ａを有する。上カバー３ａは、更に、フォークリフトトラックを使用して上フレーム部分２ａを上昇及び下降させるためのフォーク用孔７ａを有し、フォーク用孔７ａには、前側（アクセス側）と後側から到達可能である。
【００３３】
下フレーム部分２ｂは、底部３ｂを有し、底部３ｂは、強度と剛性を提供するために管状の桁／支持部の形態をなす多数の構造部材を有し、下方に開放している。構造部材は、その上側の面と下側の面の間の上下方向スペースを定める。コーナーの近くにおいて、正方形断面を有する中空の下側柱部分４ｂが、コーナーのところに位置する支持プレート５ｂから上方に延び、下側柱部分４ｂの下縁４ｂｂが、支持プレート５ｂに取付けられる。支持プレート５ｂは、積重ね用カム６ａが嵌合する孔６ｂを有する。検査用孔６ｃにより、かかる嵌合を認識することを可能にする。底部３ｂは、更に、フォークリフトトラック又はパレットジャッキのフォークを使用して衛生ユニット１を移動させるためのフォーク用孔７ｂをすべての側に有する。底部３ｂの下側において、桁／支持部は、パレットジャッキのローラのための孔を有する。底部３ｂの桁／支持部の下側の面は、下平面３ｂｂを構成する。
【００３４】
上側柱部分４ａ及び下側柱部分４ｂは、同じ長さを有し、開放した上下方向貫通通路を有する。
【００３５】
下フレーム部分２ｂは、更に、跳ね上げることができる後プレート８ａと、横プレート８ｂを有する。
【００３６】
互いに隣り合って位置する３つの衛生サブスペース９が、フレーム２の内部に収容され、便器Ｐを備える。作動位置において、サブスペース９は、前側からアクセス可能であり、ドア１０によって閉鎖可能である。１つの上下方向側面において、ドア１０は、上カバー３ａの下側の面から下方に延びる上側ピボットピン１１ａ及び底部３ｂの上側の面から上方に延びる下側ピボットピン１１ｂを中心に回転可能に支持され且つ取付けられる。前側のフォーク用孔７ａ、７ｂは、側壁及び中間のサブスペース９の支柱１９ａ、１９ｂ（後で説明）の直ぐ内側に位置している。
【００３７】
この例において、サブスペース９は各々、Ｕ字形の仕切り壁１２によって側面及び背面の境界が定められ、仕切り壁１２は、上フレーム部分２ａに取付けられた上仕切り壁部分１２ａと、下フレーム部分２ｂに取付けられた下仕切り壁部分１２ｂとによって形成され、上仕切り壁部分１２ａ及び下仕切り壁部分１２ｂは、互いに沿って上下に摺動可能である。上仕切り壁部分１２ａ自体はまた、仕切り壁上部１２ａａ及び仕切り壁下部１２ａｂに分割され、仕切り壁下部１２ａｂは、仕切り壁上部１２ａａと一緒に摺動可能であるように仕切り壁上部１２ａａに連結される。かかる構成は、仕切り壁上部１２ａａが、仕切り壁下部１２ａｂに沿って且つその中を上下に摺動可能であり、且つ、仕切り壁下部１２ａｂが下仕切り壁部分１２ｂに沿ってその中を上下に摺動可能であるようなものである。このことは、視界が内側から前側に向かうように示されている図１Ｄにおいても見ることができる。図１Ｄはまた、互いに隣りあっている仕切り壁下部１２ａｂが互いに接合され、１つの部品又は一体品として上下に摺動可能であることを示す。上カバー３ａを下降させると、上カバー３ａが仕切り壁下部１２ａｂの上縁に当接した後、仕切り壁上部１２ａａ及び仕切り壁下部１２ａｂを両方とも下方に移動させる。上カバー３ａを再び上昇させると、仕切り壁上部１２ａａの下縁のところの当接により、仕切り壁下部１２ａｂが一緒に移動させられることを確保する。
【００３８】
下仕切り壁部分１２ｂは、後壁部１２ｂｂを有し、便器Ｐ及びゴミ入れ１４が後壁部１２ｂｂに取付けられる。後壁部１２ｂｂは、ゴミ入れ１４をサブスペース９の後方から空にするためのメンテナンス用開口１６をゴミ入れ１４の後方に有する。更に、トイレットロールホルダ１３が、後壁部１２ｂｂに配置され、ユーザが内側からアクセス可能であると共に、後壁部１２ｂｂのメンテナンス用開口１６を介してストックを補充するために後方からアクセス可能である。
【００３９】
フレーム２、特に下フレーム部分２ｂ内のサブスペース９の後方に、技術スペース１７が設けられ、技術スペース１７内に、必要なドレイン管、給水管及び電気ケーブルのための部屋、及び、選択的には、排泄物及び紙のためのポンプ及びグラインダのための部屋がある。便器Ｐは、ドレインを後壁部１２ｂｂ内に有している。輸送位置において、技術スペース１７はまた、３つのドア１０のための部屋を構成する。技術スペース１７の後方は、跳ね上げることができる後プレート８ａによって遮蔽されるのがよい。
【００４０】
サブスペース９は、更に、上フレーム部分２ａに取付けられた天井プレート１８ａと、下フレーム部分２ｂに取付けられた床プレート１８ｂを有する。床プレート１８ｂは、洗浄水を排出するために、前方に向かって下方に傾斜している。
【００４１】
上仕切り壁部分１２ａ及び下仕切り壁部分１２ｂの前縁の保護、選択的には、上仕切り壁部分１２ａの前縁の上下方向関節連結の保護のために、上下方向の上側輪郭部１９ａ及び下側輪郭部１９ｂがそれぞれ、上フレーム部分２ａ及び下フレーム部分２ｂの前側の面に取付けられ、上側輪郭部１９ａは、下側輪郭部１９ｂの内側を摺動可能である。
【００４２】
分かるように、また図１Ｅを参照して、柱部分４（上側柱部分４ａ及び下側柱部分４ｂ）は、衛生ユニット１の前側のコーナーのところでは、後方に僅かにオフセットされ、後側のコーナーのところでは、コーナーのところに位置している。結果として、前側において、前側に位置する上側柱部分４ａ及び下側柱部分４ｂよりも前方の左側にヒンジピン１１ａ、１１ｂを配置するのに使用可能な空間がある。かかる使用可能な空間はまた、前側で操作されるドア１０の当接のために、前側に位置する上側柱部分４ａ及び下側柱部分４ｂの前方の右側を何もないままにすることができる。結果として、同じ数のサブスペースを考えると、前側と平行な方向における水平方向の全体的な占有スペースが、制限範囲内に保たれる。
【００４３】
上側柱部分４ａが上カバー３ａの上平面３ａａから短い距離（上プレート２０の厚さ）のところから延び、下側柱部分４ｂが底部３ｂの下平面３ｂｂから延び、且つ、上側柱部分４ａ及び下側柱部分４ｂの一方が他方に互いに完全に滑り込むことが可能であり、上側柱部分４ａの下縁４ａｂが下平面３ｂｂと同じ程度まで延び、下側柱部分４ｂの上縁４ｂａが、上平面３ａａから上記短い距離のところと同じ程度まで延びるので、作動位置における達成可能な高さに対する輸送位置におけるできるだけ低い高さ、即ち、上側柱部分４ａ又は下側柱部分４ｂの高さとほぼ等しい高さが実現される（実施例では、支持プレート５ａ、５ｂの厚さが追加されなければならない）。また図１Ｅを参照すると、上側柱部分４ａの上縁４ａａだけが、支持プレート５ａの下面に取付けられていることが分かり、その結果、輸送位置において、下側柱部分４ｂの上縁４ｂａが、支持プレート５ａの下面に当接する。このとき、上側柱部分４ａの下縁４ａｂは、支持プレート５ｂの上側の面に位置している。
【００４４】
例示として、衛生ユニット１の輸送位置において（図２Ａ及び図２Ｂ参照）、前側に沿う長さＬは、約２．３５メートルであり、幅又は奥行Ｂは、約１．１メートルであり、高さＨは、約１．３メートルである。図３は、２×１０のかかる衛生ユニットを４０フィートハイキューブコンテナに収容する仕方を示し、ドア開口の空間の内寸法は、幅ｂ０が、２．３３メートル、高さｈ０が、２．６５５メートル、コンテナ長さｌ０が１２メートルである。この場合、２０個の衛生ユニット１の組立体は、長さ約１１．８メートル、幅２．２メートル、高さ約２．６メートルにわたり、積重ね用カムを一番上の衛生ユニット１の上側の面に含む。
【００４５】
２０個の衛生ユニット１を使用する場所において、フォークリフトトラックは、衛生ユニット１を１つずつ、コンテナ１００の外に取出し、それらを正しい箇所に配置し、このとき、フォークは、短い方の側面のフォーク用孔７ｂに係合する。次に、同じフォークリフトトラックのフォークを、フォーク用孔７ａに挿入し、それに引続いて、フォークを上昇させることによって、上フレーム部分２ａを下フレーム部分２ｂに対して持上げる。このとき、作動高さに到達するまで、上側柱部分４ａを下側柱部分４ｂの外に摺動させ、この例では、上平面３ａａと下平面３ｂｂの間が約２．３１メートルになる。次いで、フォークをそのまま保ち、ドライバー又は別の人が、固定設備を作動させ、上側柱部分４ａ及び下側柱部分４ｂを両方ともその位置に固着させる。この伸長プロセスにおいて、仕切り壁上部１２ａａ及び仕切り壁下部１２ａｂも、仕切り壁部分１２ｂの内側に沿って上方に伸長される。後プレート８ａを跳ね上げて開放させた後、ドア１０を取出して、前側のピボットピン１１ａ、１１ｂのところに配置する。様々な管及びケーブルが連結される。
【００４６】
衛生ユニット１を再び遠くに輸送するとき、パイプ等を最初に分解する。次いで、ドア１０を技術スペース１７内に再び配置する。次いで、フォークリフトトラックのフォークをフォーク用孔７ａに挿入し、固定設備を解放する。ついで、フォークを下降させ、上側柱部分４ａを下側柱部分４ｂの中に再び摺動させ、上側柱部分４ａを下側柱部分４ｂの中に完全に収容させ、下側柱部分４ｂの上縁を支持プレート５ａの下側の面に当接させ、上側柱部分４ａの下縁を支持プレート５ｂの上側の面に当接させる。それと同時に、仕切り壁上部１２ａａ及び仕切り壁下部１２ａｂを互いに沿って及び後壁部１２ｂｂに沿って再び摺動させて引込めると、最初、下縁を有する仕切り壁下部１２ａｂは、例えば、便器Ｐの上縁／後縁又は他の当接箇所に当接し、次いで、仕切り壁上部１２ａａは、仕切り壁下部１２ａｂの内側に沿って更に下方に摺動する。
【００４７】
今、実現されている輸送位置において、上側柱部分４ａ及び下側柱部分４ｂを互いに固着させるために、固定設備を再び使用してもよい。
【００４８】
本発明は、便器を有する衛生ユニットだけに適用されるわけでなく、小便器、シャワー、洗面台及びそれらの組合せを有する衛生ユニットに適用されてもよい。多数の衛生ユニットと一緒に使用されるポンプユニットが、同じように、即ち、衛生ユニットと一致する輸送寸法を有するように構成されてもよく、例えば、上述した４０フィートハイキューブコンテナ内に、１９個の衛生ユニットと一緒に収容されてもよい。
【００４９】
本発明は、発明の詳細な説明に記載された実施形態及び添付図面に記載された実施形態に限定されるわけではない。上述した説明は、本発明の好ましい実施形態の作動を説明するために含まれており、本発明の範囲を限定しない。上述した説明に基づいて、本発明の精神及び範囲内にある多くの変形例が、当業者に明らかである。発明の詳細な説明に記載された部品及び添付図面に記載された部品の変形例が可能である。変形例を、本発明の他の実施形態に個別に使用してもよい。種々の例の部品は、互いに組合されてもよい。
【図１Ａ】
2021507157.tif 000003
【図１Ｂ】
2021507157.tif 000004
【図１Ｃ】
2021507157.tif 000005
【図１Ｄ】
2021507157.tif 000006
【図１Ｅ】
2021507157.tif 000007
【図２Ａ】
2021507157.tif 000008
【図２Ｂ】
2021507157.tif 000009
【図３】
2021507157.tif 000010
【国際調査報告】
2021507157.tif 000011
2021507157.tif 000012